(57)【要約】【課題】ノイズに基づいて水平同期パルスと誤認すると再度改めて計時を開始するので、なかなか電源をオフにできないことがあるという課題があった。【解決手段】一旦、同期信号がないことを検出すると、所定期間の計時を行いつつ、この計時が終了するまでは同期信号の数を計数し、同期間の経過後に、計数値が示す同期信号の検出割合としきい値とを比較して同期間内にＴＶ放送信号がなくなったと判断するに足る結果が得られればオートシャットオフを実現するようにしたため、ノイズなどによって同期信号があると判断されたとしても計時を終了することがなくなり、正確に同期信号がなくなったことに基づいてオートシャットオフ機能を実現することができるようになった。【選択図】図２
2006128867.tif 000002
【特許請求の範囲】
【請求項１】
テレビ放送の有無を検出し、同テレビ放送が無くなってから所定時間後の電源をオフにするテレビジョンにおいて、
上記テレビ放送に含まれる水平用の同期信号の有無を検出する同期信号検出手段と、
上記同期信号が所定期間にわたってないと判断されたときに計時を開始し、計時開始後は上記同期信号が検出されても計時を終了することなく所定時間を計時する計時手段と、
上記所定時間内における上記同期信号の検出数を検出割合として判定する同期信号検出割合判定手段と、
上記所定時間計時後に上記同期信号の検出割合と所定値とを比較して同期信号の検出割合が少ない場合に電源をオフにするものと判断する判断手段とを具備することを特徴とするテレビジョン。
【請求項２】
テレビ放送の有無を検出し、同テレビ放送が無くなってから所定時間後の電源をオフにするテレビジョンにおいて、
上記テレビ放送に含まれる同期信号の有無を検出する同期信号検出手段と、
同期信号が無くなったと判断されてから所定時間を計時する計時手段と、
上記所定時間中における上記同期信号の有無の割合を求める同期信号検出割合判定手段と、
上記所定時間計時後に上記同期信号の検出割合と所定値とを比較して同期信号の検出割合が少ない場合に電源をオフにするものと判断する判断手段とを具備することを特徴とするテレビジョン。
【請求項３】
上記同期信号検出手段は、テレビ放送に含まれる水平同期信号の有無を検出することを特徴とする上記請求項２に記載のテレビジョン。
【請求項４】
上記同期信号検出手段は、テレビ放送に含まれる垂直同期信号の有無を検出することを特徴とする上記請求項２または請求項３のいずれかに記載のテレビジョン。
【請求項５】
上記計時手段は、計時開始のタイミングとして上記同期信号が所定期間にわたってないと判断されたときに計時を開始し、計時開始後は上記同期信号が検出されても上記所定時間は計時を終了しないことを特徴とする上記請求項２〜請求項４のいずれかに記載のテレビジョン。
【請求項６】
上記同期信号検出割合判定手段は、所定時間内における同期信号の検出数を検出割合と判定することを特徴とする上記請求項２〜請求項５のいずれかに記載のテレビジョン。
【請求項７】
テレビ放送の有無を検出し、同テレビ放送が無くなってから所定時間後の電源をオフにするテレビジョンのオートシャットオフ方法において、
上記テレビ放送に含まれる同期信号の有無を検出する工程と、
同期信号が無くなったと判断されてから所定時間を計時する工程と、
上記所定時間中における上記同期信号の有無の割合を求める工程と、
上記所定時間計時後に上記同期信号の検出割合と所定値とを比較して同期信号の検出割合が少ない場合に電源をオフにするものと判断する工程とを具備することを特徴とするテレビジョンのオートシャット方法。
【請求項８】
テレビ放送の有無を検出し、同テレビ放送が無くなってから所定時間後の電源をオフにするテレビジョンのオートシャットオフプログラムを記録した媒体において、上記テレビ放送に含まれる同期信号の有無を検出する機能と、同期信号が無くなったと判断されてから所定時間を計時する機能と、上記所定時間中における上記同期信号の有無の割合を求める機能と、上記所定時間計時後に上記同期信号の検出割合と所定値とを比較して同期信号の検出割合が少ない場合に電源をオフにするものと判断する機能とをコンピュータに実現させることを特徴とするテレビジョンのオートシャットプログラムを記録した媒体。
【発明の詳細な説明】
【技術分野】
【０００１】
本発明は、オートシャットオフ機能を有するテレビジョンに関する。
【背景技術】
【０００２】
従来、この種のテレビジョンには、テレビ放送の終了後に自動的に電源を遮断するオートシャットオフ機能を有するものが知られている。
この場合、水平同期パルスの有無を検出し、水平同期パルスが検出されなくなってから所定期間が経過したら電源をオフにしている。
【特許文献１】特開平９−３１２７８３号公報
【特許文献２】特開平７−３２２１６９号公報
【特許文献３】特開昭６４−８９７７２号公報
【特許文献４】実開平７−２９９６６号公報
【発明の開示】
【発明が解決しようとする課題】
【０００３】
テレビ放送が終了すれば水平同期パルスは継続的に無い状態が続くはずであるが、ノイズに基づいて水平同期パルスと誤認することがある。
上述した従来のテレビジョンにおいては、ノイズに基づいて水平同期パルスと誤認すると再度改めて計時を開始するので、なかなか電源をオフにできないことがあるという課題があった。
本発明は、上記課題にかんがみてなされたもので、より正確にテレビ放送の終了を検出して電源をオフにすることが可能なテレビジョンおよびテレビジョンのオートシャット方法の提供を目的とする。
【課題を解決するための手段】
【０００４】
上記目的を達成するため、請求項２にかかる発明は、テレビ放送の有無を検出し、同テレビ放送が無くなってから所定時間後の電源をオフにするテレビジョンにおいて、上記テレビ放送に含まれる同期信号の有無を検出する同期信号検出手段と、同期信号が無くなったと判断されてから所定時間を計時する計時手段と、上記所定時間中における上記同期信号の有無の割合を求める同期信号検出割合判定手段と、上記所定時間計時後に上記同期信号の検出割合と所定値とを比較して同期信号の検出割合が少ない場合に電源をオフにするものと判断する判断手段とを具備する構成としてある。
【０００５】
上記のように構成した請求項２にかかる発明においては、同期信号検出手段にて上記テレビ放送に含まれる同期信号の有無を検出しており、計時手段は同期信号が無くなったと判断されてから所定時間の計時を開始する。そして、この所定時間中における上記同期信号の有無の割合を同期信号検出割合判定手段にて求める。そして、判断手段によって上記所定時間計時後に上記同期信号の検出割合と所定値とを比較し、同期信号の検出割合が少ない場合に電源をオフにする。
【０００６】
すなわち、一度同期信号がないと判断されれば所定時間の計時は開始し、その後の同期信号の発生によって計時を終了することはしない。そして、所定時間中の同期信号の有無の割合に基づいて、同計時時間後に電源をオフにするか否か判断する。
利用可能な同期信号として、請求項３にかかる発明は、上記同期信号検出手段は、テレビ放送に含まれる水平同期信号の有無を検出する構成としてある。
上記のように構成した請求項３にかかる発明においては、テレビ放送に含まれる水平同期信号の有無を判断する。
【０００７】
また、請求項４にかかる発明は、上記同期信号検出手段は、テレビ放送に含まれる垂直同期信号の有無を検出する構成としてある。
上記のように構成した請求項４にかかる発明においては、テレビ放送に含まれる垂直同期信号の有無を検出する。
【０００８】
計時を開始するにあたり、請求項５にかかる発明は、上記計時手段は、計時開始のタイミングとして上記同期信号が所定期間にわたってないと判断されたときに計時を開始し、計時開始後は上記同期信号が検出されても上記所定時間は計時を終了しない構成としてある。
上記のように構成した請求項５にかかる発明においては、計時開始のタイミングとして上記同期信号が所定期間にわたってないと判断されたときに計時を開始する。そして、計時開始後は上記同期信号が検出されても上記所定時間は計時を終了しない。これにより、一度、同期信号が検出されなくなったらその時点で計時を開始し、その後は所定時間が経過するまで計時し続ける。
【０００９】
同期信号の有無の割合は各種の数値で代用可能であり、必ずしも有無の比を演算する必要はない。その一例として、請求項６にかかる発明は、上記同期信号検出割合判定手段は、所定時間内における同期信号の検出数を検出割合と判定する構成としてある。
上記のように構成した請求項６にかかる発明においては、計時する時間は所定時間であって一定であるから、有無の割合は実質的には同期信号を検出した数に比例する。このため、同期信号検出割合判定手段は所定時間内における同期信号の検出数を検出割合と判定する。
【００１０】
むろん、以上の構成を踏まえた上で、請求項１にかかる発明は、テレビ放送の有無を検出し、同テレビ放送が無くなってから所定時間後の電源をオフにするテレビジョンにおいて、上記テレビ放送に含まれる水平用の同期信号の有無を検出する同期信号検出手段と、上記同期信号が所定期間にわたってないと判断されたときに計時を開始し、計時開始後は上記同期信号が検出されても計時を終了することなく所定時間を計時する計時手段と、上記所定時間内における上記同期信号の検出数を検出割合として判定する同期信号検出割合判定手段と、上記所定時間計時後に上記同期信号の検出割合と所定値とを比較して同期信号の検出割合が少ない場合に電源をオフにするものと判断する判断手段とを具備する構成としてある。
【００１１】
このようなより具体的な構成において上述したのと同様な作用を奏することはいうまでもない。
このように、所定期間中における同期信号の検出割合に基づいてテレビ放送の終了を判定する手法は必ずしも実体のある装置に限られる必要はなく、その方法としても機能することは容易に理解できる。このため、請求項７にかかる発明は、テレビ放送の有無を検出し、同テレビ放送が無くなってから所定時間後の電源をオフにするテレビジョンのオートシャットオフ方法において、上記テレビ放送に含まれる同期信号の有無を検出する工程と、同期信号が無くなったと判断されてから所定時間を計時する工程と、上記所定時間中における上記同期信号の有無の割合を求める工程と、上記所定時間計時後に上記同期信号の検出割合と所定値とを比較して同期信号の検出割合が少ない場合に電源をオフにするものと判断する工程とを具備する構成としてある。
すなわち、必ずしも実体のある装置に限らず、その方法としても有効であることに相違はない。
発明の思想の具現化例としてオートシャットオフ機能のソフトウェアとなる場合には、かかるソフトウェアを記録した記録媒体上においても当然に存在し、利用されるといわざるをえない。
【００１２】
その一例として、請求項８にかかる発明は、テレビ放送の有無を検出し、同テレビ放送が無くなってから所定時間後の電源をオフにするテレビジョンのオートシャットオフプログラムを記録した媒体において、上記テレビ放送に含まれる同期信号の有無を検出する機能と、同期信号が無くなったと判断されてから所定時間を計時する機能と、上記所定時間中における上記同期信号の有無の割合を求める機能と、上記所定時間計時後に上記同期信号の検出割合と所定値とを比較して同期信号の検出割合が少ない場合に電源をオフにするものと判断する機能とをコンピュータに実現させる構成としてある。
【００１３】
むろん、その記録媒体は、磁気記録媒体であってもよいし光磁気記録媒体であってもよいし、今後開発されるいかなる記録媒体においても全く同様に考えることができる。また、一次複製品、二次複製品などの複製段階については全く問う余地無く同等である。その他、供給方法として通信回線を利用して行なう場合でも本発明が利用されていることにはかわりない。
さらに、一部がソフトウェアであって、一部がハードウェアで実現されている場合においても発明の思想において全く異なるものではなく、一部を記録媒体上に記憶しておいて必要に応じて適宜読み込まれるような形態のものとしてあってもよい。
【発明の効果】
【００１４】
以上説明したように本発明は、ノイズによって誤動作することなくより正確にテレビ放送の終了を判断して、確実に電源を遮断することが可能となる。
また、請求項３にかかる発明によれば、比較的検出しやすい水平同期信号を利用し、検出を容易に行うことができる。
【００１５】
さらに、請求項４にかかる発明によれば、比較的検出しやすい垂直同期信号を利用し、検出を容易に行うことができる。
さらに、請求項５にかかる発明によれば、同期信号が無くなるときには所定時間の間にわたって現実に同期信号が無くなるまで待機することで、一定時間の待機時間を持たせ、確実に同期信号が無くなったことを判断できる。
【００１６】
さらに、請求項６にかかる発明によれば、同期信号の検出数をそのまま検出割合として利用することにより、無駄な演算を省いて簡略化し、構成を簡易にできる。
さらに、請求項７にかかる発明によれば、同様の効果を奏するテレビジョンのオートシャットオフ方法を提供できる。
【発明を実施するための最良の形態】
【００１７】
以下、図面にもとづいて本発明の実施形態を説明する。また、
（１）テレビジョンのハードウェアの構成
（２）テレビジョン内で実行するオートシャットオフ機能のソフトウェアの説明
（３）変形例の説明
という順序で説明する。
【００１８】
（１）テレビジョンのハードウェアの構成
図１は、本発明の一実施形態にかかるオートシャットオフ機能を有するテレビジョンをブロック図により示している。
同図において、チューナ１０は、アンテナ１１にて受信されるＴＶ放送信号を受信するものであり、所定のチャンネル番号に対応する周波数のＴＶ放送信号を受信して所定の中間周波数信号に変換して出力する。チューナ１０はＩＩＣバス２０にも接続され、同ＩＩＣバス２０にてＣＰＵ３０から出力されるチャンネル番号に対応するコマンドを入力して受信するＴＶ放送信号の周波数を決定している。
【００１９】
１チップＩＣ４０は入力される所定の中間周波数信号から映像信号や音声信号などを生成する複合的なＩＣチップである。多種の信号を生成可能であるが、本実施例においては、映像信号と、音声信号と、水平同期信号Ｈ−ｓｙｎｃと垂直同期信号Ｖ−ｓｙｎｃを生成可能である。この意味で、チューナ１０と１チップＩＣ４０は同期信号検出手段を構成する。
映像信号は高圧回路５０に入力され、ＣＲＴ６０にて所定の映像を表示させる。音声信号は音声アンプ７０に入力され、スピーカ８０を介して音声を出力させる。
【００２０】
ＣＰＵ３０は、チューナ１０や１チップＩＣ４０などに対する各種の制御を行うものであり、同ＣＰＵ３０が実行するのに必要なプログラムやパラメータ、データの類はＥＥＰＲＯＭ３５に記憶されている。本ＣＰＵ３０は、後述するオートシャットオフ機能をソフトウェア的に実現しており、そのソフトウェアとなるオートシャットオフプログラムもＥＥＰＲＯＭ３５に記憶されている。また、ＣＰＵ３０は同オートシャットオフプログラムにてオートシャットオフを実行すると判断したときに、オートシャットオフ機能として電源回路９０に対して電源断を指示する。電源回路９０は本テレビジョンの各回路に対する電源を供給するものであり、電源断を指示されたときには特別な回路を除いて電源を断つ。なお、ＣＰＵ３０は後述するソフトウェアを実行することで計時手段、同期信号検出割合判定手段、および判断手段を構成する。
【００２１】
（２）テレビジョン内で実行するオートシャットオフ機能のソフトウェアの説明
図２はオートシャットオフプログラムに対応するフローチャートを示している。
同プログラムでは、ステップＳ１０５〜Ｓ１２０にて同期信号が所定期間にわたってないと判断されるか否かの処理を行っており、ないと判断されたときにステップＳ１３０〜Ｓ１５０にて所定時間を計時しつつ、この期間中における上記同期信号の有無の割合を求める処理を行う。そして、ステップＳ１５５，Ｓ１６０にて上記所定時間計時後に上記同期信号の検出割合と所定値とを比較して同期信号の検出割合が少ない場合に電源をオフにする処理を行っている。この意味で、ステップＳ１０５〜Ｓ１５０にて計時手段を構成し、ステップＳ１５０は同期信号検出割合判定手段を構成し、ステップＳ１５５，Ｓ１６０にて判断手段を構成している。
【００２２】
以下、ステップごとにより詳細に説明する。
ステップＳ１０５では所定時間内に同期信号が検出されたか否かを判断するために使用するフラグをオフにセットする。すなわち、所定時間後、同フラグを参照してオフのままであれば同期信号がなかったことを示し、オンとなっていれば同期信号があったことを示す。
【００２３】
ステップＳ１１０では同期信号が検出されたか否かを判断する。同期信号は上述した１チップＩＣ４０にて生成されて所定の端子から出力される水平同期信号Ｈ−ｓｙｎｃであり、ＣＰＵ３０は同端子に接続された所定のポート（ＡＤ変換ポート）の電位を見て同期信号があるか否かを判断する。このように、本実施例では同期信号として水平同期信号の有無を判断するようにしているが、垂直同期信号Ｖ−ｓｙｎｃの有無を判断するようにしても良い。水平同期信号と垂直同期信号は出力される頻度（周波数）が異なるので、検出するタイミングに合わせていずれか好ましい方を選択すればよい。
【００２４】
ステップＳ１１０にて同期信号があると判断されたときにはステップＳ１１５にて上記フラグをオンにする。これにより後で当該フラグの状態を見れば所定期間内に同期信号があったか否かを判断することができる。ここでの所定期間は、ＴＶ放送がなくなったと判断するに足る時間ではなく、このように放送が終了してＴＶ放送信号がなくなったか否かを判断するために経時を開始するきっかけとなる期間である。従って、比較的短い時間を設定する。例えば、前者が１５分であるとすれば、後者は２〜３分であるといった具合である。むろん、これらは一例にすぎず、適宜設定可能である。
【００２５】
ステップＳ１２０はこのような所定期間が経過したか否かを判断する処理であり、経過していなければステップＳ１１０以下を繰り返し、経過していればステップＳ１２５にて上記フラグの状態を参照する。
フラグがオンである場合、すなわち、同期信号が所定期間内に検出されて問題がないという場合はオートシャットオフが不要であり、本プログラムを終了する。一方、所定期間内に同期信号がない場合、言い換えれば同期信号が所定期間にわたって検出されないという状態が続いた場合、ステップＳ１３０にてタイマカウントを開始する。タイマカウントは一定期間が経過するか否かを判断するものであり、処理的にはステップＳ１２０と同様である。
【００２６】
タイマカウントを開始したら、ステップＳ１３５にて上記所定のポートの電位を見て同期信号があるか否かを判断する。そして、あると判断されればステップＳ１４０にてその数をカウントアップしていく。すなわち、カウントアップ開始前には「０」であった所定の変数に対し、同期信号があると判断されるごとに順次「１」ずつ加算する。なお、一つの同期信号に対して二つカウントすることがないようにする必要があるから、カウントアップしたら同期信号の期間だけ遅延させたり、同期信号があったら次に同期信号がないと判断されてからでないと同期信号ありと判断しないようにしたりしてもよい。
【００２７】
その後、同期信号の有無にかかわらず、ステップＳ１４５にてタイムアウトしたか否かを判断する。ここでのタイムアウトと判断する一定期間とは、同期信号が検出されなくなってＴＶ放送信号が終了したと判断するに足る期間であり、同判断を開始するためのきっかけとなる期間ではない。オートシャットオフ機能は、ＴＶ放送終了後もＴＶをつけたままとなっているときに自動的に電源を断つものであるから、その期間としては一例として１５分程度が適当である。従来は、この１５分間の間にノイズなどの影響で偶然にも同期信号と判断されると、再度、１５分の期間の計時を再開してしまうのでいつまでも電源がオフとならないという不具合があった。
【００２８】
上述したように、本実施例では、ステップＳ１３５での同期信号の有無の判断にかかわらず、ステップＳ１４５にてタイムアウトと判断されるまではステップＳ１３５，Ｓ１４５の処理を繰り返している。すなわち、計時開始のタイミングとして同期信号が所定期間にわたってないと判断されたときに計時を開始し、計時開始後は同期信号が検出されても所定時間は計時を終了しない。上述したようにここでの所定期間は前者と後者とで同じである必要はない。
【００２９】
タイムアウト後、ステップＳ１５０では同期信号検出割合を算出する。同期信号の検出割合は上述するようにカウントアップされた変数の値を経過時間で除算したものである。ただし、必ずしも除算しなくても、後述するしきい値を経過時間に対応させればここでの除算は不要であり、カウントアップした変数の値をそのまま使用することができる。
【００３０】
そして、ステップＳ１５５では、除算した検出割合がしきい値Ｔｈよりも大きいか否かを判断する。この場合、除算することなく変数の値をそのまま使用した数値であれば、それに対応するしきい値と比較する。
検出割合等がしきい値Ｔｈより小さい場合は、タイムアウトとなる期間内に検出された同期信号はノイズなどによって生じうる誤差の範囲内であることを示し、その場合はステップＳ１６０にてオートシャットオフを実行する。すなわち、ＣＰＵ３０は電源回路９０に対して特別な回路への給電を除いて電源を断たせる。
【００３１】
（３）変形例の説明
図３は上述したしきい値を電界強度に対応して変更するプログラムに対応したフローチャートを示している。
本プログラムでは、図４に示すようにテレビジョンのユーザーに対して設置場所の電界強度を指定させ、その指定に対応したしきい値Ｔｈを設定する。
まず、ステップＳ２０５では図４に示すメニューを表示する。メニューの表示はＣＰＵ３０がＯＳＤ機能で画面を生成し、１チップＩＣ４０を介して表示させればよい。その場合は、生成した画面を１チップＩＣ４０のＯＳＤ入力端子に出力する。むろん、１チップＩＣ４０にＯＳＤ機能がある場合は、ＣＰＵ３０はＩＩＣバス２０を介して同画面に対応するデータを１チップＩＣ４０に送出すればよい。
【００３２】
表示するのは、「電界強度入力メニュー」というタイトル文字と、選択肢である「・強電界地域（電波送信地から５ｋｍ以内）」「・中電界地域（電波送信地から１５ｋｍ以内）」「・弱電界地域（電波送信地から１５ｋｍ以上）」の文字である。いずれか一つだけをハイライトなどの選択状態とし、図示しないリモートコントローラの選択キーなどによって選択状態を順次、次の項目に移動させ、選択キーで一つだけを選択させる。
【００３３】
リモートコントローラによる選択キーの動作に対応してメニュー表示を行い、決定キーの動作をステップＳ２１０にて受け付ける。選択された地域に応じて、ステップＳ２１５，Ｓ２２５の分岐を経て所定のしきい値を設定する。すなわち、強電界地域であれば、ステップＳ２１５の判断を経てステップＳ２２０にてしきい値Ｔｈに１０％を設定する。また、中電界地域であれば、ステップＳ２１５とステップＳ２２５の判断を経てステップＳ２３０にてしきい値Ｔｈに３０％を設定する。そして、弱電界地域であれば、ステップＳ２１５とステップＳ２２５の判断を経てステップＳ２３５にてしきい値Ｔｈに５０％を設定する。このようなしきい値の設定は電界強度だけに限らず、他の要因を加えて選択できるようにしても良い。また、表示メニューは例えば郵便番号などを入力して地域を特定し、同地域と電波送信地との距離に対応したしきい値を設定するようにしても良い。この場合、あらかじめ郵便番号としきい値とを組み合わせた参照テーブルを用意しておく。
【００３４】
本発明は、以上のようなソフトウェアで実行するだけでなく、各種のハードウェアの論理回路などを使って実現することも可能である。
【００３５】
図５はその一例を示しており、水平同期信号Ｈ−ｓｙｎｃをあらかじめ信号処理して水平同期信号があるかないかを表すようにした後、カウンタとＲＳフリップフロップに入力する。ＲＳフリップフロップでは水平同期信号を負論理にしてセット端子に入力することにより、水平同期信号がないときに同ＲＳフリップフロップのＱ端子がハイとなり、タイマをスタートさせるとともに、カウンタをリセットさせる。タイマは一定時間経過すると初めてハイ出力を出し、これによりＲＳフリップフロップをリセットさせる。タイマのカウント開始時にカウンタはリセットされるので、それ以降、水平同期信号がハイとなる数をカウントする。タイマがタイムアウトしてハイ出力となると、その時点でのカウンタのカウント数がラッチ回路にセットされ、同ラッチ出力とあらかじめ設定しておいたしきい値とが比較器で比較される。
【００３６】
比較結果はタイマの出力を遅延回路で遅延させた出力とともにアンド回路に入力され、両者がオンであるときオートオフとする。比較結果はむろんしきい値の方が大きいときにオンとなる。また、オートオフは上述したように電源回路９０にて電源断とさせればよい。
【００３７】
このように、一旦、同期信号がないことを検出すると、所定期間の計時を行いつつ、この計時が終了するまでは同期信号の数を計数し、同期間の経過後に、計数値が示す同期信号の検出割合としきい値とを比較して同期間内にＴＶ放送信号がなくなったと判断するに足る結果が得られればオートシャットオフを実現するようにしたため、ノイズなどによって同期信号があると判断されたとしても計時を終了することがなくなり、正確に同期信号がなくなったことに基づいてオートシャットオフ機能を実現することができるようになった。
【図面の簡単な説明】
【００３８】
【図１】本発明の一実施形態にかかるテレビジョンのブロック図である。
【図２】オートシャットオフ機能を実現するプログラムのフローチャートである。
【図３】オートシャットオフ機能の変形例を実現するプログラムのフローチャートである。
【図４】同変形例で利用するメニューの表示状態を示す図である。
【図５】本発明の一実施形態として論理回路で実現する回路図である。
【符号の説明】
【００３９】
１０…チューナ
１１…アンテナ
２０…ＩＩＣバス
３０…ＣＰＵ
４０…１チップＩＣ
５０…高圧回路
６０…ＣＲＴ
７０…音声アンプ
８０…スピーカ
９０…電源回路
【図１】
2006128867.tif 000003
【図２】
2006128867.tif 000004
【図３】
2006128867.tif 000005
【図４】
2006128867.tif 000006
【図５】
2006128867.tif 000007